(57)【要約】【課題】直感的な入力操作を可能とする入力装置を提供する。【解決手段】入力装置は、乗り物に搭載され、ケース２０とセンサシート３０とを備える。ケース２０は、後方に向く面Ｓを有する平板部２２１と、側壁部２２２とを有する。センサシート３０は、ケース２０の内面に沿って設けられている。操作部は、平板部２２１と側壁部２２２との少なくともいずれかに形成された立体形状をなす部分である。センサシート３０は、入力操作を行うユーザの部位が操作部の外面に接触したことを検出する。例えば、操作部として、側壁部２２２に形成された第１操作部Ｍ１と、平板部２２１に形成された第２操作部Ｍ２とがある。また、センサシート３０は、第１操作部Ｍ１に対応した形状の第１対応部Ｃ１と、第２操作部Ｍ２に対応した形状の第２対応部Ｃ２とを有する。【選択図】図５
2020114718.tif 000002
【特許請求の範囲】
【請求項１】
乗り物に搭載され、所定機器に対する入力操作を受け付ける入力装置であって、
後方に向く面を有する平板部と、前記平板部から前方に向かう側壁部とを有するケースと、
前記ケースの内面に沿って設けられ、前記入力操作を行うユーザの部位が操作部に接触したことを検出するセンサシートと、を備え、
前記操作部は、前記平板部と前記側壁部との少なくともいずれかに形成された立体形状をなす部分であり、
前記センサシートは、前記操作部の前記立体形状に対応した形状の対応部を有し、前記部位が前記操作部の外面に接触したことを検出する、
入力装置。
【請求項２】
前記操作部として、前記側壁部に形成された第１操作部と、前記平板部に形成された第２操作部とがあり、
前記第１操作部は、前記部位によるスライド操作を受け付ける、
請求項１に記載の入力装置。
【請求項３】
前記第２操作部は、前記平板部からケースの後方に向かって突出する部分であり、前記部位によるタップ操作を受け付ける、
請求項２に記載の入力装置。
【請求項４】
前記第１操作部は、前記側壁部に設けられた、連続した凹凸形状をなす部分である、
請求項２又は３に記載の入力装置。
【請求項５】
前記センサシートが検出した前記部位の位置と対応して発光し、前記部位が触れている位置を報知する発光報知部を備え、
前記発光報知部は、前記側壁部に沿って設けられた導光部材と、前記ケースの内部に設けられ、前記導光部材に向けて光を発する光源と、を有する、
請求項１乃至４のいずれか１項に記載の入力装置。
【請求項６】
前記ケースと前記センサシートとは、一体に成形されている、
請求項１乃至５のいずれか１項に記載の入力装置。
【発明の詳細な説明】
【技術分野】
【０００１】
本発明は、乗り物に搭載される入力装置に関する。
【背景技術】
【０００２】
乗り物に搭載されて入力操作を受け付ける入力装置として、車両に搭載されてタッチ操作を受け付けるステアリングスイッチが、例えば特許文献１に開示されている。このステアリングスイッチは、運転者がステアリングホイールを握りながら操作可能に構成されている。
【先行技術文献】
【特許文献】
【０００３】
【特許文献１】特開２０１３−３３３０９号公報
【発明の概要】
【発明が解決しようとする課題】
【０００４】
ステアリングスイッチは、ステアリングの一部に設けられるという制約上、操作方法や操作部分が限定される可能性がある。乗り物に搭載される入力装置として、より直感的な操作を可能とするものがあれば便利である。
【０００５】
本発明は、上記実情に鑑みてなされたものであり、直感的な入力操作を可能とする入力装置を提供することを目的とする。
【課題を解決するための手段】
【０００６】
上記目的を達成するため、本発明に係る入力装置は、
乗り物に搭載され、所定機器に対する入力操作を受け付ける入力装置であって、
後方に向く面を有する平板部と、前記平板部から前方に向かう側壁部とを有するケースと、
前記ケースの内面に沿って設けられ、前記入力操作を行うユーザの部位が操作部に接触したことを検出するセンサシートと、を備え、
前記操作部は、前記平板部と前記側壁部との少なくともいずれかに形成された立体形状をなす部分であり、
前記センサシートは、前記操作部の前記立体形状に対応した形状の対応部を有し、前記部位が前記操作部の外面に接触したことを検出する。
【発明の効果】
【０００７】
本発明によれば、直感的な入力操作を可能とする入力装置を提供することができる。
【図面の簡単な説明】
【０００８】
【図１】本発明の一実施形態に係る入力装置の斜視図である。
【図２】入力装置の側面図である。
【図３】入力装置の背面図である。
【図４】カバーを外した入力装置の斜視図である。
【図５】（ａ）は、ケース及びセンサシートの斜視図であり、（ｂ）は、図５（ａ）に示すＡ−Ａ線での概略断面図である。
【図６】ケース及びセンサシートの斜視図である。
【図７】（ａ）〜（ｃ）は、入力操作に応じた画像の遷移例を示す図である。
【発明を実施するための形態】
【０００９】
本発明の一実施形態について図面を参照して説明する。
【００１０】
本発明の一実施形態に係る入力装置１００は、例えば自動二輪車である車両のハンドル近傍に設けられる。入力装置１００は、車両の運転者としてのユーザが、指１（図２参照）で触れることが可能な操作部（後述の第１操作部Ｍ１、第２操作部Ｍ２）を備える。ユーザは、操作部を指１で触れることで車両の所定機器に対する入力操作を行う。以下では、入力装置１００に対してのユーザ側を前方（図における「Ｆ」）、その反対側を後方（図における「Ｂ」）とし、適宜の説明を行う。
【００１１】
入力装置１００は、図１〜図６に示すように、表示部１０と、ケース２０と、センサシート３０と、カバー４０と、発光報知部５０と、制御基板６０と、を備える。
【００１２】
表示部１０は、車両に関する情報（以下、車両情報と言う。）を画像で表示するものであり、例えば、ＬＣＤ（Liquid Crystal Display）やＯＬＥＤ（Organic Light Emitting Diodes）等から構成されている。なお、車両情報は、車両自体の情報だけでなく、車両の運行に関連した車両外部の情報も含む。一例として、表示部１０は、車速、エンジン回転数などの計測量を表示するメータとして機能することができる。
【００１３】
ケース２０は、表示部１０を後方から覆うものであり、例えば、樹脂により形成されて遮光性を有する。ケース２０は、図５（ａ）に示すように、表示部１０を収容する収容部２１と、収容部２１の図５（ａ）における左右方向へ突出する一対の突出部２２と、を備える。
【００１４】
なお、突出部２２は、表示部１０を挟んで左右対称に形成されるため、以下では、一方の突出部２２について説明し、他方の説明を省略する。突出部２２に形成される第１操作部Ｍ１及び第２操作部Ｍ２や、突出部２２に対応して設けられる発光報知部５０についても同様とする。
【００１５】
突出部２２は、図５（ｂ）に断面で示すように、後方に向く面Ｓを有する平板部２２１と、平板部２２１の端部から前方に向かう側壁部２２２と、を有する。なお、図２及び図６に示すように、平板部２２１の後方に向く面Ｓは、収容部２１の背面Ｓｂよりも前方に位置している。
【００１６】
突出部２２の側壁部２２２は、図５（ａ）に示すように、円弧状に形成されている。また、側壁部２２２には、主に図５（ｂ）に示すように、立体形状をなす第１操作部Ｍ１が形成されている。第１操作部Ｍ１は、図２に示すように、ユーザの指１によるスライド操作ＯＰ１を受け付ける部分である。スライド操作ＯＰ１は、ユーザが指１を第１操作部Ｍ１の外面（外周側面）に接触させつつ、側壁部２２２に沿って移動させる操作である。
【００１７】
第１操作部Ｍ１は、主に図２及び図５に示すように、連続した凹凸形状を有する。当該凹凸形状は、一例として、ユーザから見ての上方から下方に向かって、凹み部分が徐々に大きくなるように形成されている。第１操作部Ｍ１がこのような凹凸形状を有することにより、ユーザは指１の触覚により、現在、第１操作部Ｍ１のどの部分に触れているかを把握することができる。
【００１８】
平板部２２１には、立体形状をなす第２操作部Ｍ２が形成されている。第２操作部Ｍ２は、図２に示すように、ユーザの指１によるタップ操作ＯＰ２を受け付ける部分である。タップ操作ＯＰ２は、ユーザが指１で、第２操作部Ｍ２の外面（後方に向く面）をタップする操作である。
【００１９】
第２操作部Ｍ２は、平板部２２１の面Ｓから後方へ突起した形状を有する。この実施形態では、一方の突出部２２に、第２操作部Ｍ２がユーザから見ての上下方向に沿って２つ設けられている。以下では、図３及び図６に示すように、２つの第２操作部Ｍ２のうち、上方に位置するものを「第１タップ部Ｍａ」と呼び、下方に位置するものを「第２タップ部Ｍｂ」と呼ぶ。
【００２０】
センサシート３０は、例えば静電容量方式のセンサシートであり、ユーザの指１が第１操作部Ｍ１又は第２操作部Ｍ２に接触したことを示す検出信号を、制御基板６０に実装された後述の制御部に供給する。センサシート３０は、ケース２０の内面に沿って設けられている。具体的には、図５（ａ）に示すように、一枚のセンサシート３０が収容部２１及び突出部２２に亘って、ケース２０の内面に設けられている。
【００２１】
センサシート３０は、例えば、射出成形によってケース２０と一体に成形されている。当該射出成形を利用してセンサシート３０とケース２０とを一体に成形する手法は、インモールド成形やフィルムインサート成形などの公知の手法を採用することができる。このように形成されたセンサシート３０は、図５（ｂ）に示すように、第１操作部Ｍ１の立体形状に対応した第１対応部Ｃ１と、第２操作部Ｍ２の立体形状に対応した第２対応部Ｃ２と、を有する。
【００２２】
カバー４０は、図１及び図２に示すように、表示部１０の前方に位置し、例えば、樹脂により形成されて遮光性を有する。カバー４０は、ケース２０に嵌め合わされることで、ケース２０と共に入力装置１００の外装を形成する。カバー４０のうち、表示部１０と対向する部分には、開口部４０ａが形成されている。開口部４０ａには、表示部１０の表示画像を透かして視認させる透光部材４１が取り付けられている。カバー４０の側面には、後述の導光部材５１を露出させる露出孔４０ｂが形成されている。
【００２３】
発光報知部５０は、センサシート３０が検出した指１の位置と対応して発光し、指１が触れている位置をユーザに報知するための構成である。発光報知部５０は、図４に示すように、導光部材５１と、導光部材５１に向かって光を発する光源５２と、を有する。
【００２４】
導光部材５１は、例えば、ポリメタクリル酸メチル樹脂（ＰＭＭＡ）などの透明樹脂から板状に形成され、その大部分がケース２０の突出部２２内に位置している。導光部材５１の外周端部５１ａは、カバー４０の露出孔４０ｂから露出するとともに、第１操作部Ｍ１に沿って位置する。この実施形態では、導光部材５１の外周端部５１ａは、カバー４０の外部へ突出している例を示しているが、発光を視認することができれば、カバー４０の外部へ突出していなくともよい。また、導光部材５１は、一対の受光部５１ｂを有する。
【００２５】
光源５２は、例えば、ＬＥＤ（Light Emitting Diode）からなり、制御基板６０の前方に設けられた光源用基板７０に実装されている。光源用基板７０に実装された光源５２は、複数あり、導光部材５１に向かって光を発する。一例として、図４に示すように、１つの導光部材５１に対して、光源５２は４つ設けられており、そのうちの２つが上方に、他の２つが下方に位置している。上方に位置する２つの光源５２は、一対の受光部５１ｂのうち一方と対向する。下方に位置する２つの光源５２は、一対の受光部５１ｂのうち他方と対向する。導光部材５１は、受光部５１ｂから光源５２が発した光を受けることにより、発光する。
【００２６】
制御基板６０は、表示部１０とケース２０の収容部２１との間に位置するプリント回路板である。制御基板６０は、図示しない配線を介して、表示部１０及びセンサシート３０の各々と電気的に接続されている。また、制御基板６０は、図示しない配線及び光源用基板７０を介して複数の光源５２の各々と電気的に接続されている。
【００２７】
制御基板６０には、表示部１０及び光源５２の動作を含む、入力装置１００の全体動作を制御する制御部（図示せず）が実装されている。制御部は、ＲＯＭ（Read Only Memory）及びＲＡＭ（Random Access Memory）を含む記憶部と、ＲＯＭに記憶された動作プログラムを実行するＣＰＵ（Central Processing Unit）と、を備えるマイクロコンピュータから構成されている。
【００２８】
例えば、制御部は、車両の各部を制御するＥＣＵ（Electronic Control Unit）や各種センサと通信を行い、受信した車両情報を示す画像を表示部１０に表示させる。例えば、制御部は、図７（ａ）に示すように、車速を表す通常画像Ｌ１を表示部１０に表示させることが可能である。また、制御部は、カーナビゲーションシステムやオーディオシステム等の、車両で使用可能な各種システムと公知の手法で通信し、ユーザの指１による操作部（第１操作部Ｍ１、第２操作部Ｍ２）への入力操作に応じて、各種システムを制御する。例えば、制御部は、表示部１０で表示可能な各種コンテンツを表すメニュー画像Ｌ２（図７（ｂ）参照）や、メニュー画像Ｌ２において選択されたコンテンツを表す画像（例えば、図７（ｃ）に示すオーディオ画像Ｌ３）を表示部１０に表示させることが可能である。
【００２９】
また、制御部は、第１操作部Ｍ１や第２操作部Ｍ２に触れた、ユーザの指１の位置を示す検出信号をセンサシート３０から取得し、公知の手法により各種ジェスチャ操作（入力操作）の内容を特定する。例えば、センサシート３０は、第１操作部Ｍ１にユーザの指１が接触したことを第１対応部Ｃ１において検出する。第１対応部Ｃ１における検出に基づいて、制御部は、第１操作部Ｍ１に対してなされたスライド操作ＯＰ１の内容を特定する。また、センサシート３０は、第２操作部Ｍ２にユーザの指１が接触したことを第２対応部Ｃ２において検出する。第２対応部Ｃ２における検出に基づいて、制御部は、第２操作部Ｍ２に対してなされたタップ操作ＯＰ２の内容を特定する。そして、制御部は、特定したスライド操作ＯＰ１に応じてカーソル２（カーソル画像）を移動させる制御や、特定したタップ操作ＯＰ２に応じてカーソル２で選択中のリストが示すコンテンツを表示する制御などを行う。
【００３０】
ここで、図７を参照して、入力操作に応じた表示部１０の画像遷移の一例について説明する。車両のイグニッションがオンされた状態では、表示部１０は制御部の制御により、通常画像Ｌ１を表示しているものとする。
【００３１】
図７（ａ）に示すように、通常画像Ｌ１が表示部１０に表示されている状態において、ユーザが第２操作部Ｍ２のうち、上方に位置する第１タップ部Ｍａを、所定期間内に２回のタップ操作ＯＰ２を行うと、制御部は、当該操作に応じて、表示部１０の表示画像を通常画像Ｌ１からメニュー画像Ｌ２に切り替える。
【００３２】
メニュー画像Ｌ２は、図７（ｂ）に示すように、入力装置１００により操作可能な各種コンテンツを示す項目を表すものである。図７（ｂ）は、オーディオに関する操作が可能であることを示す“Ａｕｄｉｏ”、カーナビゲーションに関する操作が可能であることを示す“Ｎａｖｉｇａｔｉｏｎ”、車両に関する各種情報に関する設定操作や表示操作が可能であることを示す“Ｉｎｆｏｒｍａｔｉｏｎ”の各項目がメニュー画像Ｌ２に示されている例である。また、メニュー画像Ｌ２においては、各項目が選択状態であることを示すカーソル２が併せて表示される。
【００３３】
メニュー画像Ｌ２が表示部１０に表示されている状態において、ユーザが第１操作部Ｍ１に対してスライド操作ＯＰ１を行うと、制御部は、第１操作部Ｍ１に指１が接触している位置に応じて、カーソル２を移動させる。このようにして、ユーザはメニュー画像Ｌ２に表示されている各項目のうちいずれかを選択することが可能となる。
【００３４】
また、制御部は、センサシート３０からの検出信号に基づき、スライド操作ＯＰ１を特定すると、センサシート３０が検出した指１の位置と対応させて、発光報知部５０の光源５２を発光させる。例えば、制御部は、スライド操作ＯＰ１において指１が第１操作部Ｍ１の上方位置に触れていると特定した場合は、上方に位置する２つの光源５２のうち少なくともいずれかを発光させると共に、下方に位置する２つの光源５２を消灯させるといった制御を行う。これにより、発光報知部５０において指１が触れている位置をユーザに報知する。
【００３５】
なお、図示例では、一つの導光部材５１に対して、４つの光源５２を設けた例を示したが、４つ以上の光源５２を第１操作部Ｍ１の形成範囲に沿って連続して設けるとともに、指１が触れている位置の近傍にある、１つ又は複数の光源５２を発光させることで、より正確に、指１が触れている位置をユーザに報知するようにしてもよい。スライド操作ＯＰ１を行うユーザが現在、どの位置を触れているかを把握することができれば、導光部材５１の形状や、導光部材５１に向かって光を発する光源５２の個数は、任意である。
また、制御部は、センサシート３０からの検出信号に基づきタップ操作ＯＰ２を特定した場合に、センサシート３０が検出した指１の位置と対応させて、光源５２の発光制御を行ってもよい。例えば、制御部は、センサシート３０が検出した指１の位置と対応した位置にある光源５２を発光させることで、第２操作部Ｍ２のうち、第１タップ部Ｍａと第２タップ部Ｍｂのいずれに指１が触れているかを報知してもよい。
【００３６】
図７（ｂ）に示すように、任意の項目がカーソル２によって選択されている状態において、第１タップ部Ｍａに対してユーザが、決定操作としての１回のタップ操作ＯＰ２を行うと、制御部は、当該操作に応じて、選択対象の項目に関する各種設定を示す画像を表示する。図７（ｂ）から図７（ｃ）の遷移は、メニュー画像Ｌ２において“Ａｕｄｉｏ”が決定され、制御部が表示部１０の表示画像をメニュー画像Ｌ２からオーディオ画像Ｌ３に切り替える例を示している。
【００３７】
図７（ｃ）は、オーディオに関する操作として、アルバムからの楽曲の選択及び再生を可能とする“Ａｌｂｕｍ”、アーティストからの楽曲の選択及び再生を可能とする“Ａｒｔｉｓｔ”、プレイリストからの楽曲の選択及び再生を可能とする“Ｐｌａｙｌｉｓｔ”の各項目がオーディオ画像Ｌ３に示されている例である。この際も、各項目が選択状態であることを示すカーソル２が併せて表示される。オーディオ画像Ｌ３における各項目の選択操作及び決定操作については、メニュー画像Ｌ２において説明した内容と同様である。また、操作可能な内容がより具体的になり、表示画像の階層が下位になっていった場合においても操作手法は同様である。なお、このような選択操作や決定操作を受け付けた制御部は、当該操作対象のオーディオシステムに操作内容を示す操作信号を送信し、当該操作信号を受信したオーディオシステムは、操作内容に従った動作（楽曲の切り替えや再生など）を実行する。操作対象がカーナビゲーションシステムなどの他のシステムであった場合も同様である。
【００３８】
通常画像Ｌ１以外の、メニュー画像Ｌ２やメニュー画像Ｌ２よりも下位の階層の画像（例えば、オーディオ画像Ｌ３）が表示されている状態において、ユーザが第２操作部Ｍ２のうち、下方に位置する第２タップ部Ｍｂを、所定期間内に２回のタップ操作ＯＰ２を行うと、制御部は、当該操作に応じて、表示部１０の表示画像を通常画像Ｌ１へと復帰させる。つまり、第２タップ部Ｍｂへのタップ操作ＯＰ２により、通常画像Ｌ１への復帰動作が可能となる。
【００３９】
なお、第１操作部Ｍ１と第２操作部Ｍ２の各々でどのような入力操作を可能とするかや、入力操作に応じた画像の遷移や、入力操作可能な対象機器などは、設計に応じて任意に変更可能である。例えば、制御部は、第１操作部Ｍ１においてタップ操作ＯＰ２がなされたことを特定可能であってもよい。また、第２操作部Ｍ２は、突出部２２に対して１つだけ設けてもよいし、３つ以上設けてもよい。また、一対の突出部２２のうち一方と他方とで、操作部の形状や個数、受け付け可能な入力操作の種別や内容を異ならせることもできる。また、入力操作可能な対象機器は、上記の例に限られず、車両内の空調（エアコン）装置、車両内の任意のＥＣＵ（例えば、運転モードの切り替え制御を行うもの）などであってもよい。
【００４０】
なお、本発明は、以上の実施形態によって限定されるものではない。本発明の要旨を変更しない範囲で、適宜、変形（構成要素の削除も含む）を加えることが可能である。
【００４１】
入力装置１００が搭載される乗り物は、自動二輪車でなく、自動四輪車等の車両であってもよいし、車両以外の船舶、航空機、スノーモービルなどの乗り物であってもよい。この場合において、入力装置１００は、ハンドルやステアリングホイールなどの操舵装置の近傍に設けることが好ましい。また、入力操作の際にユーザが操作部（第１操作部Ｍ１、第２操作部Ｍ２）を触れる部位は、指１以外の掌の任意の箇所や、手の甲などであってもよい。また、センサシート３０の検出結果に基づき制御部が特定可能な操作は、公知のジェスチャ操作であれば任意である。
【００４２】
以上では、入力装置１００が受け付けた入力操作に応じて、自機が備える表示部１０の動作を制御する例を説明したが、当該入力操作に応じて乗り物内の任意の機器の動作を制御する構成を採用してもよい。また、表示部１０は、画像を表示する表示デバイスに限られず、アナログ式の指針式計器などであってもよい。また、入力装置１００は、表示部１０を備えていなくともよい。また、発光報知部５０に含まれる複数の光源５２は、互いに異なる色の光を発するものを含めてもよい。
【００４３】
以上では、ケース２０とセンサシート３０とを一体に成形する例を示したが、ケース２０の内面にセンサシート３０を貼り付ける構成を採用してもよい。また、センサシート３０は、ケース２０の内面に複数設けられてもよい。
【００４４】
以上では、平板部２２１の後方に向く面Ｓが、収容部２１の背面Ｓｂよりも前方に位置した例を示したが、これに限られない。平板部２２１の面Ｓと収容部２１の背面Ｓｂとが面一となる形状のケース２０を採用し、当該ケース２０において、第２操作部Ｍ２を、面Ｓ又は背面Ｓｂから後方に突出するように設けてもよい。また、以上では、側壁部２２２を円弧状（曲線状）に形成する例を示したが、側壁部２２２を、ユーザから見ての上下方向に沿う直線状に形成してもよい。
【００４５】
（１）以上に説明した入力装置１００は、車両（乗り物の一例）に搭載され、所定機器に対する入力操作を受け付ける。入力装置１００は、ケース２０と、センサシート３０とを備える。ケース２０は、後方に向く面Ｓを有する平板部２２１と、平板部２２１から前方に向かう側壁部２２２とを有する。センサシート３０は、ケース２０の内面に沿って設けられ、入力操作を行うユーザの部位（例えば、指１）が操作部（第１操作部Ｍ１、第２操作部Ｍ２）に接触したことを検出する。操作部は、平板部２２１と側壁部２２２との少なくともいずれかに（平板部２２１と側壁部２２２とのうち少なくとも一方に）形成された立体形状をなす部分である。センサシート３０は、操作部の立体形状に対応した形状の対応部（第１対応部Ｃ１、第２対応部Ｃ２）を有し、ユーザの部位が操作部の外面に接触したことを検出する。
この構成によれば、ケース２０に設けられた操作部の外面に触れることで入力操作が可能であるため、直感的な入力操作が可能となる。
【００４６】
（２）また、操作部として、側壁部２２２に形成された第１操作部Ｍ１と、平板部２２１に形成された第２操作部Ｍ２とがあり、第１操作部Ｍ１は、ユーザの部位によるスライド操作ＯＰを受け付ける。
この構成によれば、ユーザの指１などの部位で触れやすい側壁部２２２においてスライド操作ＯＰ１が可能となるため、直感的な入力操作が可能となる。
【００４７】
（３）また、第２操作部Ｍ２は、平板部２２１からケース２０の後方に向かって突出する部分であり、ユーザの部位によるタップ操作ＯＰ２を受け付ける。
この構成によれば、入力装置１００と正対するユーザから見えない、又は見づらい位置にある第２操作部Ｍ２を操作する際にも、指１などの触覚によって操作する箇所をユーザに認識させることができる。
【００４８】
（４）また、第１操作部Ｍ１は、側壁部２２２に設けられた、連続した凹凸形状をなす部分である。
この構成によれば、指１などの触覚によって第１操作部Ｍ１のどの位置を触れているのかをユーザに認識させることができる。
【００４９】
（５）また、入力装置１００は、センサシート３０が検出したユーザの部位の位置と対応して発光し、当該部位が触れている位置を報知する発光報知部５０を備える。発光報知部５０は、側壁部２２２に沿って設けられた導光部材５１と、ケース２０の内部に設けられ、導光部材５１に向けて光を発する光源５２と、を有する。
この構成によれば、発光報知部５０の発光によって、ユーザが現在操作している箇所を報知させることができる。
【００５０】
（６）また、ケース２０とセンサシート３０とは、一体に成形されている。
この場合、前述のように、インモールド成形やフィルムインサート成形などの手法で、ケース２０とセンサシート３０とを一体に成形することができる。こうすれば、立体形状を有する操作部と対応した形状のセンサシート３０をケース２０内に設けることができ、センサシート３０の検出精度の低下や、センサシート３０がケース２０から剥がれてしまうこと等を防止することができる。
【００５１】
以上の説明では、本発明の理解を容易にするために、公知の技術的事項の説明を適宜省略した。
【符号の説明】
【００５２】
１００…入力装置
１０…表示部
２０…ケース
２１…収容部、Ｓｂ…背面
２２…突出部
２２１…平板部、Ｓ…後方に向く面
２２２…側壁部
Ｍ１…第１操作部、ＯＰ１…スライド操作
Ｍ２…第２操作部、ＯＰ２…タップ操作
３０…センサシート
Ｃ１…第１対応部、Ｃ２…第２対応部
４０…カバー
４０ａ…開口部、４０ｂ…露出孔
４１…透光部材
５０…発光報知部
５１…導光部材
５２…光源
６０…制御基板
７０…光源用基板
１…指、２…カーソル
Ｌ１…通常画像、Ｌ２…メニュー画像、Ｌ３…オーディオ画像
【図１】
2020114718.tif 000003
【図２】
2020114718.tif 000004
【図３】
2020114718.tif 000005
【図４】
2020114718.tif 000006
【図５】
2020114718.tif 000007
【図６】
2020114718.tif 000008
【図７】
2020114718.tif 000009